(57)【要約】【課題】平型ケーブルにおいて、温度上昇を抑制し易くし、所望の電気的特性を保持できるようにする。【解決手段】複数の電線２Ａ〜２Ｄが並列配置されて一方向に延在し、当該並列された各電線２Ａ〜２Ｄの外周側を電線被覆部３により一括りに覆って長尺平型のケーブル１を構成する。両端縁部１１ａ，１１ｂ側におけるケーブル短径方向の厚さｔ１を軸心部１２側におけるケーブル短径方向の厚さｔ２よりも小さくする。電線被覆部３は両端縁部１１ａ，１１ｂ側と軸心部１２側との間には隔壁３１を有し、両端縁部１１ａ，１１ｂ側の電線２Ａ，２Ｄと軸心部１２側の電線２Ｂ，２Ｃとをケーブル長径方向に隔離する。電線被覆部３の表面側のうち隔壁３１が形成された位置に、ケーブル長手方向に延在したノッチ３２が形成される。【選択図】図１
2015065099.tif 000002
【特許請求の範囲】
【請求項１】
芯線と当該芯線の外周側を覆う芯線被覆部とを有した複数の電線が並列配置されて一方向に延在し、当該並列配置された各電線の外周側が電線被覆部により一括りに覆われた長尺平型のケーブルであって、
前記ケーブルの両端縁部側と軸心部側とに前記電線が配置され、前記両端縁部側におけるケーブル短径方向の厚さが、前記軸心部側におけるケーブル短径方向の厚さよりも小さいことを特徴とする平型ケーブル。
【請求項２】
前記電線被覆部は、前記両端縁部側と軸心部側との間に隔壁を有し、前記両端縁部側の電線と軸心部側の電線とをケーブル長径方向に隔離することを特徴とする請求項１記載の平型ケーブル。
【請求項３】
前記電線被覆部の表面側のうち前記隔壁が形成された位置に、ケーブル長手方向に延在したノッチが形成されたことを特徴とする請求項１または２記載の平型ケーブル。
【発明の詳細な説明】
【技術分野】
【０００１】
本発明は、並列して一方向に延在した複数の電線を有し当該各電線の外周側を電線被覆部で一括りに覆った平型ケーブルに関するものである。
【背景技術】
【０００２】
例えば電気自動車充電用スタンドでの適用が試みられているバッテリ充電ケーブルのように、芯線と当該芯線の外周側を覆う芯線被覆部とを有した複数の電線が並列配置されて一方向に延在したものであって、当該並列された各電線の外周側が電線被覆部により一括りに覆われた構造の平型ケーブルが、種々の分野で適用されている。
【０００３】
平型ケーブルは、例えばバッテリ充電ケーブルのように給電用電線等の電線を有した構造の場合には、当該電線への通電等に起因する熱が蓄積し、温度上昇することがある。平型ケーブルの平坦面（ケーブル短径方向の両端側に位置する各平坦面）が重なり合うように積層した形態、例えばリール等の巻取器により巻き取って平坦面が重なり合うように積層（例えば渦巻状に巻回して積層）した形態や、他の平型ケーブルを平坦面にて重ね合わせ積層した形態の場合には、積層間に位置する平坦面が遮蔽（積層面が遮蔽して閉塞）され、放熱が妨げられて温度上昇し易くなり、電気的特性に影響（許容電流値の低減等）を及ぼす虞が生じ得る。
【０００４】
このような積層形態での温度上昇を想定して、例えば給電用電線を平型ケーブルの両端縁部側に位置するように配置したり、積層間に位置する平坦面において平型ケーブル長手方向に延在したノッチを形成（平型ケーブルの軸心部側に形成）した構成が知られている（例えば特許文献１）。
【先行技術文献】
【特許文献】
【０００５】
【特許文献１】特開２０１２−１９８９９６号公報
【発明の概要】
【発明が解決しようとする課題】
【０００６】
本願発明者は、前記のような背景技術等に伴い、平型ケーブルにおいて以下に示す課題があることに着目した。すなわち、平型ケーブルにおいて、温度上昇（例えば積層形態での温度上昇）を抑制し易くし、所望の電気的特性を保持できるようにすることが課題として挙げられる。
【課題を解決するための手段】
【０００７】
この発明に係る平型ケーブルは、前記の課題を解決できる創作であり、具体的に、この発明の平型ケーブルの一態様は、芯線と当該芯線の外周側を覆う芯線被覆部とを有した複数の電線が並列配置されて一方向に延在し、当該並列配置された各電線の外周側が電線被覆部により一括りに覆われた長尺平型のケーブルであって、前記ケーブルの両端縁部側と軸心部側とに前記電線が配置され、前記両端縁部側におけるケーブル短径方向の厚さが、前記軸心部側におけるケーブル短径方向の厚さよりも小さいことを特徴とする。
【０００８】
前記電線被覆部は、前記両端縁部側と軸心部側との間に隔壁を有し、前記両端縁部側の電線と軸心部側の電線とをケーブル長径方向に隔離したものであっても良い。また、前記電線被覆部の表面側のうち前記隔壁が形成された位置に、ケーブル長手方向に延在したノッチが形成されたものであっても良い。
【発明の効果】
【０００９】
本発明に係る平型ケーブルによれば、温度上昇（例えば積層形態での温度上昇）を抑制し易くなり、所望の電気的特性を得ることが可能となる。
【図面の簡単な説明】
【００１０】
【図１】実施例の平型ケーブルの一例を示す概略説明図（横断面図）。
【図２】実施例の平型ケーブルの積層形態の一例を示す概略説明図（横断面図）。
【図３】一般的な平型ケーブルの一例を示す概略説明図（横断面図）。
【図４】一般的な平型ケーブルの積層形態の一例を示す概略説明図（横断面図）。
【発明を実施するための形態】
【００１１】
本発明の実施形態に係る平型ケーブルは、単に給電用電線等を平型ケーブルの両端縁部側に位置するように配置したりノッチを形成した構成とは異なるものであり、平型ケーブルの両端縁部側と軸心部側とに電線を配置し、更に両端縁部側におけるケーブル短径方向の厚さを軸心部側におけるケーブル短径方向の厚さよりも小さくした構成である。
【００１２】
本実施形態によれば、例えば平型ケーブルをケーブル短径方向の両端側に位置する各平坦面（以下、単に平坦面と称する）が重なり合うように積層した場合、積層間の平坦面のうち軸心部側が積層面となって遮蔽されたとしても、積層間において両端縁部側に間隙を形成することができ、その平坦面のうち両端縁部側が遮蔽しないようにして、放熱性を確保することが可能となる。これにより、温度上昇を抑制し易くなり、例えば電線の許容電流値が低減しないようにして、良好な電気的特性を得ることが可能となる。
【００１３】
本実施形態の平型ケーブルは、前述したように、平型ケーブルの両端縁部側および軸心部側の各ケーブル短径方向の厚さにおいて差異を有した構造であれば良く、例えば電線・ケーブル分野，電気自動車分野等の各種分野で一般的に知られている技術を適用して適宜変更することが可能であり、その一例として以下に示す具体例が挙げられる。
【００１４】
＜平型ケーブルの実施例＞
図１（横断面図），図２（積層形態を示す横断面図）は、バッテリ等の充電用ケーブルとして適用可能な平型ケーブルの一例を示すものである。図１，図２の平型ケーブル１は、４本の電線２Ａ，２Ｂ，２Ｃ，２Ｄが並列配置（平型ケーブルの長径方向に並列して配置）されて一方向に延在（平型ケーブル１の長手方向に延在）し、その並列された各電線２Ａ〜２Ｄの外周側が電線被覆部３により一括りに覆われた構造である。
【００１５】
各電線２Ａ〜２Ｄは、例えば複数の素線が撚り合わされて構成された芯線２１と、芯線２１を被覆する芯線被覆部２２と、を有し、横断面形状が略丸型の被覆電線となっている。芯線２１は、銅または銅合金等の導電性材料から成るものを適用でき、また、複数の素線を拠り合わせたものに限定されるものではなく、例えば一本の素線から成るものであっても良い。芯線被覆部２２は、例えばポリ塩化ビニル（ＰＶＣ），ポリオレフィン（ＰＥ、ＰＰ等）等の絶縁性の合成樹脂から成るものを適用できる。
【００１６】
４本の電線２Ａ〜２Ｄのうち２本（一対）の電線２Ａ，２Ｄには、バッテリ等を充電するための電流を流すことが可能な給電用電線を適用する。また、一対の電線２Ａ，２Ｄは、平型ケーブル１の両端縁部１１ａ，１１ｂ側（平型ケーブル１の長径方向（図示左右方向）の両端側）にそれぞれ配置される。
【００１７】
電線２Ｂは制御信号を伝送可能なものが適用され、電線２Ｃはアース線として機能するものが適用される。また、電線２Ｂ，２Ｃは、平型ケーブル１の軸心部１２側（両端縁部１１ａ，１１ｂの間）において、それぞれ電線２Ａ，２Ｄから距離を隔てた位置に配置される。さらに、一対の電線２Ａ，２Ｄは、電線２Ｂ，２Ｃよりも大きな電流を流すことが可能なものを適用することが挙げられる。
【００１８】
電線被覆部３は、ポリ塩化ビニル，ポリオレフィン（ＰＥ、ＰＰ等）等の絶縁性の合成樹脂から成るものであり、その合成樹脂等の材料を用いて、例えば前述のように並列配置された４本の電線２Ａ〜２Ｄの外周側を一括りで覆うように押出成形して形成することできる。この電線被覆部３は、両端縁部１１ａ，１１ｂ側における平型ケーブル１短径方向の厚さｔ１が、軸心部１２側におけるケーブル短径方向の厚さｔ２よりも小さくなるように設定、すなわちｔ１＜ｔ２の関係を有するように形成される。
【００１９】
前記のようにｔ１＜ｔ２の関係を有した平型ケーブル１において各平坦面１３が重なり合うようにリール等の巻取器により巻き取って積層した場合、図２の積層形態に示すように、積層間の平坦面１３のうち軸心部１２側が積層面となって積層され、当該積層間のうち両端縁部１１ａ，１１ｂ側には間隙１４が形成されることになる。すなわち、間隙１４により、積層間の平坦面１３のうち両端縁部１１ａ，１１ｂ側は遮蔽されず、平型ケーブル１の外周側の大気と連通した状態を維持することが可能となる。
【００２０】
また、電線被覆部３は、両端縁部１１ａ，１１ｂ側と軸心部１２側との間でケーブル１の長手方向に延在する隔壁３１がそれぞれ形成（２箇所に形成）される。この隔壁３１により、両端縁部１１ａ，１１ｂ側の電線２Ａ，２Ｄと軸心部１２側の電線２Ｂ，２Ｃとが、それぞれケーブル長径方向に隔離されることになる。
【００２１】
さらに、電線被覆部３は、電線被覆部３表面側のうち両端縁部１１ａ，１１ｂ側と軸心部１２側との間で前記隔壁３１が形成された位置に、ケーブル長手方向に延在したノッチ３２がそれぞれ形成（図１，図２では、横断面が三角形状のノッチが４箇所に形成）される。このノッチ３２を両端縁部１１ａ，１１ｂ側と軸心部１２側との間に形成することにより、図２に示したよう積層形態の場合であってノッチ３２が遮蔽されず、間隙１４を介して平型ケーブル１の外周側の大気と連通した状態を維持することが可能となる。
【００２２】
図１，図２に示したような平型ケーブル１によれば、両端縁部１１ａ，１１ｂ側と軸心部１２側とがｔ１＜ｔ２の関係を有するため、平型ケーブル１の平坦面１３のうち軸心部１２側を積層面として安定した状態で積層形態を保ちながら、当該積層間のうち両端縁部１１ａ，１１ｂ側に間隙１４を形成することにより当該積層間の両端縁部１１ａ，１１ｂ側が遮蔽されないようにし、平型ケーブル１の熱を放熱し易くして温度上昇を抑制することが可能となる。この平型ケーブル１の外周側に冷却風等の空気が送風される場合には、単に平型ケーブル１の外周側が送風されるだけでなく、間隙１４にも空気が入り込んで冷却されることになって平型ケーブル１の熱を放熱し易くなり、温度上昇の抑制が促されることになる。このように平型ケーブル１の温度上昇を抑制することで、各電線２Ａ〜２Ｄの許容電流値が低減しないようにすることもでき、所望の電気的特性が得られ易くなる。
【００２３】
また、給電用電線のように通電等によって発熱し易い電線２Ａ，２Ｄを両端縁部１１ａ，１１ｂ側に配置し、制御信号伝送用やアース用などの殆ど発熱しない電線２Ｂ，２Ｃを軸心部１２側に配置したことにより、電線２Ａ，２Ｄにおいては、単に互いに距離を隔てて位置するだけでなく、放熱性の高い両端縁部１１ａ，１１ｂ側に配置されることになるため、平型ケーブル１の温度上昇を抑制し易くなる。
【００２４】
電線被覆部３において両端縁部１１ａ，１１ｂ側と軸心部１２側との間に隔壁３１を形成したことにより、平型ケーブル１の機械的強度が良好になり、例えば平型ケーブル１自体や各電線２Ａ〜２Ｄに対しケーブル長径方向の加重がかかった場合であっても、平型ケーブル自体の変形が抑制され、各電線２Ａ〜２Ｄの配列が維持され易くなる。また、平型ケーブル１に形成するノッチ３２の形成位置において、電線被覆部３の表面側のうち隔壁３１が形成された位置とすることにより、ノッチ３２と各電線２Ａ〜２Ｄとの間の距離を保ち易くなる、すなわち各電線２Ａ〜２Ｄが露出しないように所望の大きさのノッチ３２を形成することが容易となる。さらに、ノッチ３２が間隙１４を介して平型ケーブル１の外周側の大気と連通した状態であれば、平型ケーブル１の放熱性が一層高くなり、平型ケーブル１の温度上昇をより抑制し易くなる。
【００２５】
ここで、本実施形態とは異なる構造の平型ケーブル、例えば図３，図４（図１，図２と同様のものには同一符号を用いる等により説明を適宜省略）に示すように両端縁部１１ａ，１１ｂ側と軸心部１２側とにおける各短径方向厚さが略同一である（例えばｔ１＝ｔ２の関係を有する）平型ケーブル１Ａの場合には、積層間の平坦面１３が、全て積層面となって積層され遮蔽されてしまうため、放熱が妨げられることになり、許容電流値が低減し易くなることが判る。そこで、平型ケーブル１，１Ａをそれぞれ同じ導体サイズで作製し各電気的敵特性の観測を行ったところ、平型ケーブル１は平型ケーブル１Ａの約１．２倍の許容電流値が得られることを確認できた。この確認結果を換言すると、平型ケーブル１，１Ａをそれぞれ同じ電気的特性となるように作製した場合、平型ケーブル１は、平型ケーブル１Ａと比較して小型化されることになり、軽量化や低コスト化にも貢献できるものと言える。
【００２６】
以上、本発明において、記載された具体例に対してのみ詳細に説明したが、本発明の技術思想の範囲で多彩な変更等が可能であることは、当業者にとって明白なことであり、このような変更等が特許請求の範囲に属することは当然のことである。
【００２７】
例えば、特許文献１等に基づいて多彩に変更することが可能であり、本実施形態で示したような作用効果を奏するものであれば良い。その一例としては、本実施形態の電線被覆部３を多層構造にしたり、その多層構造の各層において種々の材料を用い硬度を適宜設定することが挙げられる。
【００２８】
また、ノッチ３２において、横断面は三角形状のものに限定されず種々の形状であっても良く、電線被覆部３表面側のうち隔壁３１が形成された位置以外にも適宜形成しても良い。
【００２９】
平型ケーブル１のケーブル長径方向に並列配置される各電線は４本に限定されるものではなく、また隣接する同士の間隔も適宜設定することが可能である。図１，図２の場合には、電線２Ｂと２Ｃとの間を互いに離間（隔壁３１を形成して離間）するように配置したり、電線被覆部３の両端縁部１１ａ，１１ｂ側に複数の給電用電線をそれぞれ配置、例えば各両端縁部１１ａ，１１ｂ側にそれぞれ１本だけでなく２本以上配置した構造等が挙げられる。
【００３０】
ケーブル１の図２の積層形態は、例えばリール等の巻取器により巻き取って平坦面が重なり合うように積層（例えば渦巻状に巻回して積層）した形態や、他の平型ケーブルを平坦面にて重ね合わせ積層した形態等、種々の形態が考えられる。他のケーブルと積層した形態としては、平型ケーブル１の長手方向に沿う一端側に所望のコネクタを有したワイヤハーネスを複数備え、それら各ワイヤハーネスが軸心部（図２の軸心部１２に相当）の平坦面にて重なり合うように積層した形態のワイヤハーネス集合体（例えば特許文献１の図１に示すような形態）が挙げられる。
【００３１】
ここで、以上示した本実施形態等から把握し得る請求項以外の技術的思想について、以下に列挙する。
＜イ＞複数の電線のうち少なくとも一つに給電用電線が含まれ、その給電用電線を前記両端縁部側に配置したことを特徴とする請求項１〜３のうち何れかに記載の平型ケーブル。
＜ロ＞請求項１〜３および前記＜イ＞のうち何れかに記載された平型ケーブルと、
前記平型ケーブルの端部に取り付けられるコネクタと、を備えたことを特徴とするワイヤハーネス。
【符号の説明】
【００３２】
１…平型ケーブル
１１ａ，１１ｂ…両端縁部
１２…軸心部
１３…平坦面
１４…間隙
２Ａ〜２Ｄ…電線
２１…芯線
２２…芯線被覆部
３…電線被覆部
３１…隔壁
３２…ノッチ
【図１】
2015065099.tif 000003
【図２】
2015065099.tif 000004
【図３】
2015065099.tif 000005
【図４】
2015065099.tif 000006